(57)【要約】【課題】光コネクタを光レセプタクルに装着した状態ではケージから外れることがない光データリンクを提供することを目的とする。【解決手段】光データリンク１は、光コネクタＣが装着される光レセプタクル１０と、光レセプタクル１０に保持されホスト装置のケージに形成された係合孔と係合する突起３３ａを有するアクチュエータ３０と、このアクチュエータ３０にシーソ運動を起こし突起３３ａと係合孔との係合関係を解除するベール４０とを備えたものである。ベール４０は、一対の脚部と該脚部を連結する連結部とからなり、この連結部が光レセプタクル１０に対してアクチュエータ３０と同じ側に位置するように光レセプタクル１０に保持され、脚部には、光コネクタが光レセプタクルに装着されている状態で光コネクタ本体部に突き当たってベールの回転を阻止するストッパ４１ｃを有している。【選択図】図２
2011033698.tif 000002
【特許請求の範囲】
【請求項１】
光コネクタを受納し、ホスト装置に備えられたケージに装着され、光信号と電気信号との変換を行う光データリンクであって、
該光コネクタが装着される光レセプタクルと、
該光レセプタクルに保持され、該ケージに形成された係合孔と係合する突起を有するアクチュエータと、
該アクチュエータにシーソ運動を誘起し該突起を該係合孔から離脱させるベールと、を備え、
該ベールは、一対の脚部と、該一対の脚部を連結する連結部とからなり、該連結部は該光レセプタクルが該光コネクタを装着している状態で該光レセプタクルに対して該アクチュエータと同じ側に位置していることを特徴とする光データリンク。
【請求項２】
該ベールは該連結部が該光レセプタクル前面を横切ることができる様に該一対の脚部が該光レセプタクル側面に保持されており、
該一対の脚部それぞれの前面には、該光レセプタクルが該光コネクタを装着している際に該光コネクタに突き当たって該連結部の該光レセプタクル前面を横切る動きを阻止する第１のストッパを有していることを特徴とする請求項１の光データリンク。
【請求項３】
該ベールは、該光レセプタクルに該光コネクタが装着されていない状態で、該光レセプタクルに突き当たって該ベールの過回転を防止するストッパをさらに有していることを特徴とする請求項１および２に記載の光データリンク。
【請求項４】
該第１のストッパは、該一対の脚部を連結していることを特徴とする請求項１〜３のいずれか一項に記載の光データリンク。
【請求項５】
該ベールは該脚部内面に凸部を有し、該凸部は該アクチュエータ又は該光レセプタクルに突き当たり該ベールの初期位置を規定することを特徴とする請求項１〜４のいずれか１項に記載の光データリンク。
【発明の詳細な説明】
【技術分野】
【０００１】
本発明は、光ファイバ通信に用いられ、ホスト装置のケージに挿脱される光データリンクに関し、特にケージに対する係脱機構に関する
【背景技術】
【０００２】
光トランシーバ等の光データリンクは、光コネクタを介して信号光の送信及び／又は受信を行うもので、光電変換素子や回路基板が収納されるリンク本体部と、光コネクタが着脱可能に装着される光レセプタクルと、を備える。光データリンクのうち、ＳＦＰ（Small Form-Factor Pluggable）と呼ばれる業界標準に準拠した小型のものでは、ホスト装置のケージに対して挿抜自在とする構造、すなわちプラガブル構造を採用しており、このプラガブル構造に関して様々なものが提案されている（例えば、特許文献１，２参照）。
【０００３】
従来の光データリンクでは、プラガブル構造とするために、図１１（Ａ）に示すように、光コネクタＣが装着される光レセプタクル１０１にベール１０２とアクチュエータ１０３が取付けられている。ベール１０２は、光レセプタクル１０１に設けられた取付軸１０１ａ（図１１Ａに１０１ａは未記）を中心に回転可能なものであり、ベール１０２をこの取付軸を中心として回転させることによりアクチュエータ１０３を連動させてシーソ運動させる。アクチュエータ１０３は、ホスト装置のケージに形成された係合孔に係脱する係合突起１０３ａを有し、該係合突起１０３ａとホスト装置のケージとの係合により、光データリンク１００がケージから抜き出せないようになっている。
【０００４】
また、光データリンク１００がケージに装着された状態でベール１０２が操作されると、該ベール１０２と連動して動くアクチュエータ１０３の係合突起１０３ａが上下し該突起１０３ａとケージの係合孔との係合が解除され、光データリンク１００がケージから抜き出せるようになっている。
【０００５】
光データリンク１００では、さらに、ＬＣコネクタＣが光レセプタクル１０１に装着されている状態で係合突起１０３ａとケージとの係合が解除されるのを防ぐため、図１１（Ｂ）に示すように、ＬＣコネクタＣがレセプタクル１０１に装着されている状態でベール１０２を回転させようとすると、ベール１０２の上側（光コネクタＣのラッチ部Ｃ１側）の部分１０２ａが、光コネクタＣのラッチ部Ｃ１に当接し、ベール１０２がそれ以上回転しないようになっている。これにより、ＬＣコネクタＣが装着されている状態では、係合突起１０３ａの上下運動が制限されるので、光データリンク１００がケージから抜き出されることがない。
【先行技術文献】
【特許文献】
【０００６】
【特許文献１】特開２００５−３１７５４０号公報
【特許文献２】特開２００７−２２６０３９号公報
【発明の概要】
【発明が解決しようとする課題】
【０００７】
上述のようにベール１０２の連結部１０２ａは光コネクタＣのラッチ部Ｃ１に突き当たるが、図１１（Ａ）のベール初期状態において、両者の間には隙間（クリアランス）が設けられている。このクリアランスは、ＬＣコネクタＣの寸法公差や、ＬＣコネクタＣのラッチ部Ｃ１の変形のしやすさ等を考慮して設定されている。
このクリアランスがあるため、ＬＣコネクタＣを光レセプタクル１０１に装着した状態でも、ベール１０２は僅かに回転し（がたつき）、アクチュエータ１０３の突起１０３ａも僅かではあるが上下運動する。このため、係合突起１０３ａがケージの係合孔から外れる可能性が残る。
【０００８】
本発明は、上述のような実情に鑑み、光コネクタを光レセプタクルに装着した状態ではケージから外れることがない光データリンクを提供することを目的とする。
【課題を解決するための手段】
【０００９】
上記課題を解決するために、本発明の光データリンクは、光コネクタを受納し、ホスト装置に備えられたケージに装着され、光信号と電気信号との変換を行うものであって、光コネクタが装着される光レセプタクルと、該光レセプタクルに保持され、ケージに形成された係合孔と係合する突起を有するアクチュエータと、アクチュエータにシーソ運動を誘起し該突起を該係合孔から離脱させるベールと、を備え、ベールが、一対の脚部と、該一対の脚部を連結する連結部とからなり、該連結部は光レセプタクルが光コネクタを装着している状態で光レセプタクルに対してアクチュエータと同じ側に位置していることを特徴とする。
【００１０】
ベールが、連結部が光レセプタクル前面を横切ることができる様に一対の脚部が光レセプタクル側面に保持されており、一対の脚部それぞれの前面には、光レセプタクルが光コネクタを装着している際に光コネクタに突き当たって連結部の光レセプタクル前面を横切る動きを阻止する第１のストッパを有しているとよい。
【００１１】
ベールが、光コネクタが光レセプタクルに装着されていない状態で、ベールを回転しようとする際に光レセプタクルに突き当たってベール過回転することを防止する第２のストッパを有していてもよい。また、第１のストッパが、脚部を連結するように形成され、光データリンク用の識別情報を当該連結部に付すようにしてもよい。
さらに、ベールの内面に凸部を設け、該凸部がアクチュエータ又は光レセプタクルに突き当たってベールの初期位置を規定するようにしてもよい。
【図面の簡単な説明】
【００１２】
【図１】本発明の光データリンクの概略を説明する図である。
【図２】本発明の光データリンクの概略を説明する図である。
【図３】図１及び図２のアクチュエータについて説明する図である。
【図４】図１及び図２の光レセプタクルについて説明する図である。
【図５】図１及び図２のベールについて説明する図である。
【図６】図１及び図２の光データリンクを取り外す際のベールの回転運動とアクチュエータのシーソ運動との関係を説明する図である。
【図７】アクチュエータの係合突起を示す図である。
【図８】ベールの他の例を示す図である。
【図９】ベールの更に別の例を示す図である。
【図１０】ベールの更に別の例を示す図である。
【図１１】従来の光データリンクを示す図である。
【発明を実施するための形態】
【００１３】
図１及び図２を用いて、本発明の光データリンクの概略を説明する。
図１（Ａ）は光データリンクに光コネクタが装着された状態を示す斜視図であり、図１（Ｂ）は当該光コネクタが取り外され光コネクタ挿入部が露出されている状態を示す斜視図である。
図１（Ａ）に示すように、光データリンク１は、例えば、光コネクタＣが装着される光レセプタクル１０の後部に、データリンク本体部２０が連続する断面矩形の長方形体に形成される。光データリンク１内には、発光素子、受光素子等の光部品、光信号の送受信を行うための増幅素子等の電子部品等が備えられる。
【００１４】
また、光レセプタクル１０の前部には、図１（Ｂ）に示すように、光コネクタＣが着脱自在に装着される一対の開口１１ａ，１１ｂが設けられている。図２は光コネクタＣが光データリンク１の光レセプタクル１０に装着された状態を示す側面図である。光コネクタＣとして、例えば、図２に示すように、ラッチ部Ｃ１によりコネクタ本体部Ｃ２の光レセプタクル１０への装着が係止される例えば、ＬＣコネクタが用いられる。
【００１５】
さらに、光レセプタクル１０には図１（Ｂ）に示す様にアクチュエータ３０とベール４０とが取付けられている。アクチュエータ３０は、光レセプタクル１０に対してシーソ運動が可能となる様に保持されるものであり、ホスト装置のケージに形成された係合孔に係脱する係合突起３３ａ（図２参照）を有する。また、ベール４０は、一対の脚部とこれら脚部を連結する連結部が断面コの字形状を為す様に構成され、当該連結部が光レセプタクル１０の開口１１ａ、１１ｂを横切ることができる様にその脚部が光レセプタクル１０の側面に保持され、当該保持部を中心に回転可能となっている。また、該回転動作によってアクチュエータ３０にシーソ運動を起し、その係合突起３３ａとケージの係合孔とを係合／解除させるものである。
また、後述するようにベール４０の連結部がアクチュエータ３０側に位置するようにその脚部が光レセプタクル１０の側面に保持され、脚部の前方側に光コネクタＣが光レセプタクル１０に装着された状態で光コネクタ本体部Ｃ２に突き当たってベール１０の回転を阻止するストッパ４１ｃ(第１のストッパ)を有している。
【００１６】
続いて、図３〜図５を用いて、アクチュエータ３０、光レセプタクル１０及びベール４０について詳細に説明する。
図３は、図１及び図２のアクチュエータ３０について説明する図で、図３（Ａ）及び（Ｂ）はそれぞれ、アクチュエータ３０を上方及び下方から俯瞰した様子を示す斜視図である。アクチュエータ３０は、本体部３１、支点部３２、係合部３３及びバネ部３４を含んで成り、光レセプタクル１０に支持される。
【００１７】
本体部３１は、後述するベール４０の脚部に設けられたカム面にその頂部が接する側壁部３１ａを両側に有し、また、これら側壁部３１ａを連結する連結部３１ｂを有する。この連結部３１ｂには後方に向かって延びるバネ部３４が一体的に形成されている。
【００１８】
支点部３２は、アクチュエータ３０に誘起されるシーソ運動の支点になる軸３２ａを有し、この軸３２ａは、例えば、略半円柱状に形成される。軸３２ａが後述する光レセプタクル１０の軸受部に支持される。軸３２ａが上記軸受部に保持されスムーズに回転することで、アクチュエータ３０に軸３２ａを支点としたシーソ運動が誘起される。
係合部３３の先端（後方）には、図３（Ｂ）に示すように、ホスト装置のケージの係合孔に係合する係合突起３３ａが形成されている。軸３２ａを中心とするシーソ運動がこの係合突起３３ａに上下運動を起こさせる。
【００１９】
バネ部３４は、当該バネ部３４が撓むことによる応力がアクチュエータ３０の前端側を常に押し上げる力をもたらす。連結部３１ｂから伸びだすバネ部３４の主枝がアクチュエータ本体部３１の主面に対してその組立前は有意な角度を有している。この角度を補償する様に（角度を無くす様に）アクチュエータ３０は光レセプタクル１０に組み付けられる。すなわち、アクチュエータ３０をレセプタクルに装着する際、すなわち、その軸３２ａをレセプタクル１０の軸受部１１ｄにセットすると、バネ部３４の主枝は常に撓んだ状態でレセプタクル１０に対してセットされることとなる。バネ部３４の後端は、連結部３１ｂから後方に延び、支点部３２を超え係合部３３にまで達しており、該後端には、上方に向かって延び出す水平断面がＴ字状の突起３４ａ（図３（Ａ））が形成されている。このバネ部３４先端の突起３４ａは、後述するように、光レセプタクル１０の中央隔壁に形成されたポケットに収まることで、アクチュエータ３０の前後方向の移動を制限する。
【００２０】
図４は、図１及び図２の光レセプタクル１０について説明する図で、図４（Ａ）及び図４（Ｂ）はそれぞれ光レセプタクル１０を前方／後方から見た様子を示す斜視図であり、図１及び図２とは上下逆に示されている。
光レセプタクル１０は、前方から順にレセプタクル部１１、搭載部１２を有する。
【００２１】
レセプタクル部１１は、光コネクタ本体部Ｃ２（図２参照）が挿入される部分であり、その前方に上記本体部Ｃ２が挿入される送信／受信用の二つの開口１１ａ、１１ｂを有する。レセプタクル部１１は、ベール４０が取付けられる突起１１ｃをその外側面上方に有する。後述のベール４０の脚部に形成される孔に、この突起１１ｃを挿入することにより、ベール４０が光レセプタクル１０に取付けられる。
また、レセプタクル部１１の下面には、アクチュエータ３０のシーソ運動の軸３２ａが収まる軸受部１１ｄが形成されている。
【００２２】
搭載部１２は、二つの空間１２ａ，１２ｂを有し、これら空間１２ａ，１２ｂに発光デバイス、受光デバイスが搭載される。空間１２ａ，１２ｂは、一対の側壁１２ｃと中央隔壁１２ｄ等により区画されている。中央隔壁１２ｄには、その前方端にポケット１２ｅを備え、このポケット１２ｅにアクチュエータ３０のバネ部３４の後端に形成されている突起３４ａが収まる。
さらに、側壁１２ｃの外面には突起１２ｆが形成されており、この突起１２ｆが光リンク本体部２０の側面の開口に係合することにより、光レセプタクル１０はリンク本体部２０に取付けられる。
【００２３】
図５は、ベール４０について説明する図である。ベール４０は一対の脚部４１とこれら脚部４１を接続する連結部４２を有する断面コの字状の部品である。
一対の脚部４１のそれぞれには、光レセプタクル１０の側面突起１１ｃが挿入される開口４１ａが形成されていて、ベール４０はこの突起１１ｃを中心として回転運動を行う。また、脚部４１は、その後端４１ｂがカム状に形成されており、ベール４０の回転運動に同期して、このカム面４１ｂが、アクチュエータ３０の側壁部３１ａの先端面をなぞることでアチュエータ３０にシーソ運動を起こし、このシーソ運動によりケージの係合孔とアクチュエータ３０の係合突起３３ａとの間の係合除関係が解除される。
【００２４】
さらに、脚部４１は、その前端にストッパ（第１のストッパ）４１ｃが形成されている。第１のストッパ４１ｃは、光レセプタクル１０に光コネクタＣが装着された状態でベール４０を回転しようとする際に、このストッパ４１ｃが光コネクタ本体部Ｃ２（図２参照）の段差に突き当りベール４０の回転運動を阻止する機能を有する。
さらに、ベール４０の前端面には、後述の過回転防止するためのストッパ４１ｄ（第２のストッパ）も形成されている。
【００２５】
続いて、図６を用いて、光データリンク１とケージとの係合を解除する際におけるベール４０の回転運動とアクチュエータ３０のシーソ運動との関係を説明する。
光データリンク１をケージから取り外す際は、図６（Ａ）に示すように、光コネクタＣを予め取り外しておく。図６（Ａ）の状態は、ベール４０の初期状態であって、その連結部４２は光レセプタクル１０の下方にセットされており、アクチュエータ３０の係合突起３３ａは最も外側に突き出されケージの係合孔に納まっている状態である。
【００２６】
この状態から、所定の治具もしくは手動でベール４０を突起１１ｃを中心として図の時計回りに回転すると、カム面４１ｂがアクチュエータ３０の側壁頂部３１ａ上をなぞる（図６（Ａ）→図６（Ｂ）→図６（Ｃ））。カム面４１ｂは、側壁頂部３１ａとの接触点からアクチュエータ３０の回転中心（突起１１ｃの中心）までの距離がベール４０の回転に連動して次第に大きくなる形状を有する。したがって、カム面４１ｂはそれだけアクチュエータ本体部３１（図３参照）を下方に押し出すことになり、シーソ運動により係合突起３３ａが次第に光レセプタクル１０側に引き寄せられ、最終的にケージとの係合状態が解除される（図６（Ｄ））。この状態になると、ベール４０を、例えばその連結部をつまんで前方に引っ張ると光データリンク１をケージから取り外すことができる。
【００２７】
また、図６（Ｄ）に示すような位置までベール４０を回転させた場合、ベール４０の過回転防止ストッパ４１ｄが光レセプタクル１０の上部に突き当たるので、ベール４０のそれ以上の回転が規制される。
なお、アクチュエータ３０の係合部３３がこの様にベール４０の回転に合わせて一連の動作を行ったとしても、そのバネ部３４（図３参照）は常に光レセプタクル１０に対してベール４０を押し付ける様に作用する。したがって、ベール４０から手を離すと、このバネ部３４の有する弾性力により、ベール４０は図６（Ａ）の位置に自動的に戻る。すなわち、図６（Ｃ）において、アクチュエータ１０からレセプタクル１０へ向かう力のベクトルは矢印Ａの方向にある。このベクトルはレセプタクルの回転突起１１ｃの中心からはオフセットされているのでベール４２に対して回転モーメントを与えることになり、ベール４２を初期状態（図６（Ａ））に戻す様に作用する。
【００２８】
このような構造を有する光データリンク１では、図２に示すように、光コネクタＣが装着された状態でベール４０を回転しようとするときに該ベール４０のストッパ４１ｃと光コネクタ本体部Ｃ２とが突き当たる構造を採用している。従来の回転ストッパは光コネクタＣのラッチ部Ｃ１に突き当たる構成であった。ラッチ部Ｃ１はコネクタＣとレセプタクル１０との係合を解除するためのもので、それ自身変形必要があり、その幾何学的形状の固体差が大きい。一方。光コネクタ本体部Ｃ２は、ラッチ部Ｃ１に比べ寸法ばらつきが小さく変形しにくい。従って、本発明では、回転ストッパとして機能するベール４０の第１のストッパ４１ｃとＬＣコネクタＣ（の本体部Ｃ２）との間のクリアランスを小さくできる。
【００２９】
そのため、光データリンク１では、光コネクタＣがレセプタクルに装着されている状態では、ベール４０を微動させたときの係合突起３３ａの上下運動がほとんどない。光データリンク１は、光コネクタＣが光レセプタクル１０に装着された状態では外れることがないので、意図せずケージから抜き取られることがない。
【００３０】
本発明さらに以下の効果も奏する。
従来の光データリンクでは、光コネクタラッチ部Ｃ１とベール４０との間のクリアランス（すなわち係合状態におけるベールのがたつき）に起因する、係合突起の上下運動により、ケージの係合孔との係合が外れることがないように、図７の係合突起１０３の前端部１０３ａの曲率半径がケージを構成する金属板の厚みより小さく設定されている。例えば、ケージはステンレスで作られ、その厚みは０.２ｍｍまたは０.２５ｍｍであるので、上記曲率半径は０.２ｍｍ以下とされている。
【００３１】
しかし、例えば、アクチュエータを廉価な板金で合成した場合、上述の曲率半径は板金の板厚以下にすることはできない。曲げ半径を０.２ｍｍ以下とするには厚さ０.２ｍｍ以下の板金を採用する必要がある。これは、コスト面及び機械的強度の面から選択肢足り得ない。実際は厚さ０.３ｍｍ以上の板金を採用せざるを得ない。この場合、光コネクタが装着された状態でのアクチュエータのガタツキで係合突起と係合孔との係合が簡単に外れてしまうことがあった。
【００３２】
それに対し、光データリンク１では、光コネクタ装着状態での光データリンク１の抜き取り防止のため、ベール４０を回転させたときにストッパ４１ｃ（図２参照）と光コネクタ本体部Ｃ２とが突き当たる構造を採用している。光コネクタ本体部Ｃ２は、そのラッチ部Ｃ１に比べ寸法ばらつきが小さくかつ変形させる必要もないため、光コネクタ本体部４２とストッパ４１ｃとの間のクリアランスは小さく設定できる。したがって、光コネクタＣが装着されている状態では、ベール４０を動かそうとしたときのアクチュエータ３０の係合突起３３ａの上下運動がほとんどない。
【００３３】
そのため、アクチュエータ３０の材料として０.２ｍｍより厚い板金を使った場合でも、光データリンク１は、光コネクタＣが光レセプタクル１０に装着された状態では外れることがないので、不用意に抜き取られることがない。
【００３４】
また、光データリンク１において、ストッパ４１ｃを光コネクタ本体部Ｃ２ではあってもラッチ部Ｃ１側と反対側の段差部に突き当てる構造を採用した理由は以下の通りである。すなわち、突き当て箇所を従来の様にラッチ部側の段差に突き当てる構造では、当接部の周辺にラッチ部Ｃ１があるため、当該当接部を０.５ｍｍ程度の幅でしか形成できないが、本発明のように上記ラッチ部Ｃ１側の段差部と当接させる構造では、１ｍｍ以上の幅で形成することができるため、その機械的強度を高くすることができるからである。たとえば、当該ストッパ４１ｃを連結部の全長に渡って設けることも可能である（図８）。
なお、過回転防止ストッパ４１ｄは、光コネクタラッチ部Ｃ１との干渉を防ぐとともに機械的強度を確保するため、当接部４１ｃより短く且つ幅狭に形成されている。
【００３５】
以下では、本発明の光データリンクに用いるベールの他の例について説明する。なお、各例において他の例と同様な部分については、同じ符号を付すことにより、その説明を省略する。
図８のベール５０は、図５のベール４０とは異なり、脚部５１を連結する連結部５２が脚部５１の前面に形成されている。ベール５０では、この連結部５２が、光コネクタ装着時のベールの回転ストッパとして機能する。言い換えれば、ベール５０は、図４のストッパ４１ｃが、脚部５１の前面に形成された連結部５２により構成されている。
このようにすることにより、この連結部５２にカラーラベルを貼ることができる。カラーラベルは、例えばＷＤＭ用光トランシーバにおいて、その波長種を表すため等に用いられるものである。
【００３６】
図９のベール６０は、脚部６１の内側面に凸部６１ａが形成されている点で、図８のベール５０と異なる。この凸部６１ａは、図６（Ａ）に示すような初期状態（イニシャル位置）で、アクチュエータ３０の側面と当接することにより、ベール６０を当該イニシャル位置から容易に動かなくさせるためのものである。
【００３７】
図１０のベール７０は、連結部７１の内側面に凸部７１ａが形成されている点で、図５のベール４０と異なる。この凸部７１ａは、上記イニシャル位置でアクチュエータ３０の下面と当接することにより、ベール７０を当該イニシャル位置から容易に動かなくさせるためのものである。
【００３８】
なお、ベールは、図４のように脚部４１の下方に連結部４２を設けておき、その上で、ストッパを脚部４１を連結するように幅広に形成しておき、カラーラベルが貼れるような構成でもよい。
また、図９の上記凸部６１ａは、図５のベール４０のように、脚部を連結する連結部が下面に形成されているものに設けても良い。凸部６１ａは両方の脚部に設けても良いし一方のみに設けても良い。
【００３９】
また、図９のようにベールの内側面に上述の凸部を設ける場合は、ベール６０をイニシャル位置から容易に動かなくさせるために、当該凸部６１ａを、アクチュエータ３０ではなく、光レセプタクル１０の側面と当接するように形成してもよい。
ベールに上述の凸部６１ａや凸部７１ａを設ける場合は、イニシャル位置において、これら凸部６１ａ，７１ａと当接する部分（アクチュエータ３０の側面または下面、光レセプタクル１０の側面）に窪みを設けて、両者を嵌合させる構成にしてもよい。
【００４０】
また、ベールは、光コネクタと干渉しないように図５の過回転防止ストッパ４１ｄと当接部ストッパ４１ｃとを連結させる構造でもよい。この構造では、イニシャル位置から奥方向にベール４０を回転させようとしたときに当該連結部と光レセプタクルの側壁とが突き当たるので、イニシャル位置から奥方向にベール４０が回転するのを防ぐストッパとなる。
【００４１】
なお、本発明の光データリンクでは、カム形状がシンプルになるため、ベールの回転動作とアクチュエータと上下運動が設計しやすくなる（遊びの部分を設計しやすくなる）。
【符号の説明】
【００４２】
１…光データリンク、１０…光レセプタクル、１１…レセプタクル部、１１ｃ…突起、１１ｄ…保持部、１２…搭載部、１２ｃ…側壁、１２ｄ…中央隔壁、１２ｅ…ポケット、１２ｆ…突起、２０…リンク本体部、３０…アクチュエータ、３１…本体部、３１ａ…側壁部、３１ｂ…連結部、３２…支点、３２ａ…軸、３３…係合部、３３ａ…係合突起、３４…バネ部、３４ａ…突起、４０，５０，６０，７０…ベール、４１，５１，６１…脚部、４１ａ…挿通孔、４１ｂ…カム面、４１ｃ…第１のストッパ、４１ｄ…第２のストッパ、４２，５２，７１…連結部。
【図１】
2011033698.tif 000003
【図２】
2011033698.tif 000004
【図３】
2011033698.tif 000005
【図４】
2011033698.tif 000006
【図５】
2011033698.tif 000007
【図６】
2011033698.tif 000008
【図７】
2011033698.tif 000009
【図８】
2011033698.tif 000010
【図９】
2011033698.tif 000011
【図１０】
2011033698.tif 000012
【図１１】
2011033698.tif 000013